(57)【特許請求の範囲】
【請求項１】
水田に雑草が生えることを防止する為の雑草生育防止装置において、フレームの前方には複数の鋤を等間隔で取付けると共に該鋤には前回転羽根と後回転羽根を所定の間隔をおいて回転自在に軸支し、そして前回転羽根及び後回転羽根には複数枚の羽根を回転体から外方向へ湾曲して延ばし、羽根の湾曲方向は鋤が前進した際に回転羽根が回転することで水田の土壌表面に点在する雑草の種子を押圧して地中に埋没させる方向とし、また土壌表面を均等に押圧することが出来るように羽根の位置は交互に配置すると共に後回転羽根の羽根は前回転羽根の羽根より幅広とし、そして、フレームの後方には上記鋤の間の空間位置であって該空間の横幅寸法Ｍより幅広として複数本のクサリを吊設し、鋤の前進移動に伴って水田の土壌表面を滑ることで表面に点在する雑草の種子を地中に埋没させることを特徴とする水田の雑草生育防止装置。
【請求項２】
上記フレームは中央フレームの両側に側フレーム部を継手を介して連結し、不使用時には両側フレーム部を該継手を介して屈曲して上方へ持ち上げることが出来るようにした請求項１記載の水田の雑草防止装置。
【請求項３】
鋤は先端に鋤部を有し、鋤部から後方へ側桟を延ばすと共に両側桟に跨って前回転羽根と後回転羽根を回転自在に取付けた請求項１、又は請求項２記載の水田の雑草生育防止装置。
【発明の詳細な説明】
【技術分野】
【０００１】
本発明は水田に生えようとする雑草を抑制することが出来る水田の雑草生育防止装置に関するものである。
【背景技術】
【０００２】
水田は米を生産するものであるが、稲の他に多くの雑草が生え易い環境にある。近年では整地した水田に田植え機によって苗が植えられ、苗の生育と共に土の中に混在している種から雑草が発生する。そこで、この雑草が生えないように多量の除草剤を散布しなくてはならない。除草剤を散布するならば、雑草の生育は防止出来るが、非常に毒性の強い薬剤であって、水田に散布された除草剤は必然的に苗が吸収し、ひいては成長して実った米にも含有される。
【０００３】
このような米を長年にわたって食することは健康を害することは言うまでもない。勿論、除草剤を使うことなく生育した雑草を手作業にて除去することは可能であるが、大変な重労働となってしまう。特に、最近では農業に携わる人の年齢は高くなっており、老人ともなれば手作業での雑草除去は困難に近い。
【０００４】
近年では、田植え前の水田の均し、（整地）はトラックターに乗って行い、田植えは乗用田植え機が使用され、稲刈りはコンバインが使われている。このように、農作業を顧みると、水田に生える雑草の除去作業が大きな問題として残されている。勿論、水田に生育する雑草を除去することが出来る除草機も幾つか存在している。
【０００５】
例えば、特開２００４−１８０６２８号に係る「水田の除草装置」は、従来の慣行農法による水田の除草作業は、除草爪によって除草した雑草を水中に浮遊させて枯死する方法を取っていたが、この除草方法では一旦水中に放り出されて浮遊している雑草が、沈下して土壌表面に活着して枯死をまぬがれて成長する課題があった。そこで、前進に伴って水田土壌から除草した雑草を、水中に浮遊させて枯死する方式の除草を可能とした除草機と、水田に米糠を散布して水田土壌の表面に米糠による還元層を形成するための米糠散布機とをトラクタに搭載して構成している。
【０００６】
また、特開２００３−２３０３０３号に係る「水田除草機」は、雑草を除草するときに、次に除草する隣接部の植付苗を押し倒したり、又は埋没させることを防止するものである。そこで、左右へ揺動移動して雑草を除草する左右揺動ツース式除草装置と、回転して除草する回転ドラム式除草装置とは、前後に並設すると共に、該回転ドラム式除草装置の側方部の左右両側には、左右へ揺動移動して雑草を除草する揺動ツース装置を設け、また左右揺動ツース式除草装置は上下調節可能な構成としている。
【０００７】
実用新案登録第３１６８４５８号に係る「条間除草機」は、水田の除草を簡便に行うことができ、条間に生えた雑草のみを機械的に除草することができる条間除草機である。そこで、動力源を伝達されて回転する回転ギア部分に、コの字型の形状をし、その両先端を下向きに装着した除草刃部と、除草の飛散防止と稲苗の保護のための推進保護カバー部と、浮力を推進できる形状をした安定板部とを有している。
【０００８】
【特許文献１】特開２００４−１８０６２８号に係る「水田の除草装置」
【特許文献２】特開２００３−２３０３０３号に係る「水田除草機」
【特許文献３】実用新案登録第３１６８４５８号に係る「条間除草機」
【発明の開示】
【発明が解決しようとする課題】
【０００９】
このように、水田に生える雑草を除去する為の除草機は色々知られている。また、この他にも各種除草機が存在しているが、雑草が生え易い土壌環境にある水田から雑草の生育を阻止することは容易でない。本発明はこのような土壌環境の水田から雑草の発育を出来る限り抑えることが出来る除草機を提供する。
【課題を解決するための手段】
【００１０】
田植えをした水田には一定間隔で苗が植えられ、苗が植えられている条部と苗が植えられていない条間とに区別する場合、雑草は上記条間はもとより、条部に植えられている苗の周囲にも雑草は生えて生育する。本発明では水田に生えて生長した雑草を除去するのではなく、雑草が生えないように作用する雑草生育防止装置である。すなわち、水田の土壌に混在している種子から雑草が生える前段階で本装置を使用して雑草の生育を抑えることが出来る。
【００１１】
そこで、本発明の雑草生育防止装置は、苗が生育する条間には回転羽根が配置され、条部にはクサリが配置される。本発明の雑草生育防止装置は上記回転羽根とクサリを備えていて、苗が植えられている条部に沿って移動することが出来、この移動と共に回転羽根が回転して水田の土壌表面を押圧し、クサリは土壌表面に沿って滑ることが出来る。
【００１２】
ここで、雑草生育防止装置全体の具体的な構造は限定せず、一般的には田植え機やトラックターのように作業者が乗って運転することが出来るようにしている。そして、上記回転羽根及びクサリは交互に配置され、水平に延びるフレームに取付けられている。そして、アームは揺動して先端が上昇することが出来る構造と成っている。
【発明の効果】
【００１３】
本発明に係る雑草生育防止装置は、回転羽根とクサリを取付けていて、移動に伴って回転羽根は条間を回転しながら移動し、クサリは条部を滑りながら移動する。本発明の雑草生育防止装置は大きく生育した雑草を除去するのではなく、雑草として生育する前の段階で使用される。従って、土壌表面に点在する種子は土壌に埋められて発芽することはない。そして、回転羽根は前方に位置し、クサリは後方に配置されることで互いに一部が重複してほぼ均一に均される為に、水田全面での種子の発芽が抑制される。
【００１４】
そして、クサリは苗が生育している条部を滑るように移動するが、苗を倒したり傷つけることなく、しかも全面をほぼ均一に滑り移動する為に、すなわち条部に沿って植えられている苗間に存在する種子もクサリの重みによって地中に埋められる。
【図面の簡単な説明】
【００１５】
【図１】本発明の雑草生育防止装置の概略図。
【図２】前回転羽根と後回転羽根を取付けた鋤の具体例。
【図３】フレームに鋤とクサリを取付けた場合。
【図４】本発明の雑草生育防止装置を装着したトラックター。
【図５】本発明の雑草生育防止装置を装着したトラックター。
【発明を実施するための形態】
【００１６】
図１は本発明の雑草生育防止装置の主要部を示す実施例である。同図の１は長方形をしたフレームを表し、このフレーム１に回転羽根を備えた鋤２，２・・・とクサリ３，３・・・が取付けられている。ここで、鋤２，２・・・は上記フレームの前側に等間隔で配置され、クサリ３，３・・・は後側５に等間隔で吊設されている。
【００１７】
そして、後側に吊設されているクサリ３，３・・・は、上記前側に取着している鋤２，２・・・の間に位置している。また、横方向へ細長く延びているフレーム１は、前桟４と後桟５を有し、しかも該フレーム１は３分割されていて、中央フレーム部６と両側フレーム部７，７とから成り、両側フレーム部７，７は中央フレーム部６の先端に継手８，８・・・を介して連結している。従って、両側フレーム部７，７は継手８．８・・・を介して上方へ旋回して持ち上げることが出来る。
【００１８】
すなわち、フレーム１は横に長い為にトラックターに装着した場合、該トラックターから両外側へ大きく突出して延びる為に、使用しないときには上方へ持ち上げておく方が保管スペースが小さくて便利である。ここで、鋤２の取付け構造は限定しないが、一般には前桟４と後桟５に掛架した取付け部材にネジ止めにて取着されている。一方のクサリ３は後桟５に吊設されている。
【００１９】
図２は回転羽根を取付けている鋤２を示す具体例である。同図に示すように鋤２は前方に水田の土壌表面を滑るように移動する鋤部９を有し、鋤部９の両側から後方へ側桟１０，１０を延ばし、両側桟１０，１０に跨って前回転羽根１１と後回転羽根１２が所定の間隔をおいて軸１３，１３を介して回転自在に取付けられている。そこで、鋤２が水田の土壌表面を移動するならば、前回転羽根１１及び後回転羽根１２は回転することが出来る。また、鋤部９は側桟１０，１０の先端に設けた軸１５，１５を基点として揺動可能と成っている。
【００２０】
上記前回転羽根１１及び後回転羽根１２には複数枚の湾曲した羽根１４，１４・・・が軸１３を中心として回転する回転体１６の外周から湾曲して延びているが、該羽根１４の湾曲方向は前・後回転羽根１１，１２の回転に伴って水田の土壌表面を押圧することが出来る形状と成っている。図２の場合、鋤部９が前方と成って移動する訳であり、前回転羽根１１及び後回転羽根１２は鋤２が移動する際には反時計方向に回転する。
【００２１】
従って、回転体１６から湾曲して延びる羽根１４，１４・・・は土壌表面から地中に食込み、土壌表面に点在して発芽しようとする種子を地中に埋没させることが出来る。その為に、回転体１６の外周から湾曲して延びる羽根１４，１４・・・は土壌表面を均等に押えることが出来るように、その位置は交互に配置されている。すなわち、前回転羽根１１が少なくとも１回転することで鋤２の幅に相当する水田土壌表面を均等に押圧して地中に食込むことが出来るようにしている。
【００２２】
そして、該鋤２には前回転羽根１１と後回転羽根１２を配置し、しかも後回転羽根１２の羽根１４は幅広としている。従って前・後回転羽根１１、１２にて水田の土壌表面に点在している種子はほぼ全て地中に埋没することになり、その結果、発芽は阻止される。ところで、前記図１に示しているように、フレーム１に装着している鋤２，２・・・の間には横幅寸法Ｍの空間１７が存在している。
【００２３】
この空間１７の領域では前回転羽根１１及び後回転羽根１２が通過しない為に、鋤２が通過した後をクサリ３が通過する。横幅寸法Ｍの空間１７より幅広として後桟５に複数本のクサリ３，３・・・を吊設している。クサリ３は鉄製で重く、水田土壌表面を滑るように移動することで、表面に点在する雑草の種子は地中に埋没する。その為に、クサリ３，３・・・の長さは、その下端部が土壌表面に横たわることが出来る長さと成っている。
【００２４】
ところで、図１のようにフレーム１に取付けた鋤２，２・・・、及びクサリ３，３・・・は水田の土壌表面を滑るように移動することが出来、ここで、水田に生育している苗の間を各鋤２，２・・・が通過する。すなわち、苗が鋤２，２・・・によって倒れないように空間１７，１７・・・が設けられている。そして、後方に吊設しているクサリ３，３，３・・・は苗が生育している条部を通過する。クサリ３，３・・・はジグザグして屈曲及び湾曲することで、苗に絡まるように周りを滑り移動することが出来、苗周りの種子を地中に埋没させることが出来る。
【００２５】
図３はフレーム１に取付けられている鋤２，２・・・とクサリ３，３・・・を示している。このように、先ず鋤２，２・・・が通過することで土壌表面に点在する種子を地中に埋没させ、鋤２，２・・・が通過しない領域ではクサリ３，３・・・が土壌表面を滑るように移動することで点在する種子は地中に埋没する。ところで、鋤２，２・・・、及びクサリ３，３・・・を取付けたフレーム１はトラックターに装着することが出来る。
【００２６】
トラックターの具体的な形態は限定しないが、トラックターに装着することで作業者はトラックターに乗って鋤２，２・・・、及びクサリ３，３・・・を土壌表面を滑らすことで雑草を抑えることが可能である。ただし、雑草が生育した状態ではなく、種子が発芽すえ手前の状態、又は発芽間際であってまだ雑草が小さい状態のときに使用することで水田に雑草が生えなくなる。
【００２７】
図４、図５はフレーム１をトラックターに装着した具体的な実施例を示しめしている。このトラックターは前方に１個の小さい車輪１７を有し、後方には２個の大きな車輪１８，１８を備えている。そして、後方には椅子が設けられ、作業者はこの椅子に座って運転することが出来る。
【符号の説明】
【００２８】
１   フレーム
２   鋤
３   クサリ
４   前桟
５   後桟
６   中央フレーム部
７   側フレーム部
８   継手
９   鋤部
10   側桟
11   前回転羽根
12   後回転羽根
13   軸
14   羽根
15   軸
16   回転体
17  車輪
18  車輪
【図１】
0005688339.tif 000002
【図２】
0005688339.tif 000003
【図３】
0005688339.tif 000004
【図４】
0005688339.tif 000005
【図５】
0005688339.tif 000006